(57)【特許請求の範囲】
【請求項１】
表側ライナーに、表層に接着剤と顔料からなる塗工層を有するＪＩＳ  Ｐ  ８１４２に基づく７５度鏡面光沢が４０％以上のコート白ボールが使用されていて、該表側ライナー面に段ボール貼合前にプレプリントフレキソ印刷が施され、ラップアラウンド式又はＡ式で内容物を梱包し箱組み立てした後に、さらに該表側ライナー面にインクジェット印刷が施される段ボールにおいて、該表側ライナー面のインクジェット印刷予定箇所に白色顔料とバインダー樹脂からなるフレキソ白インキ塗工層が油性遅乾型インクジェットインク用の吸収層として設けられていることを特徴とする美粧段ボール。
【請求項２】
前記インクジェット印刷予定箇所の油性遅乾型インクジェットインク用の吸収層におけるオレイン酸吸収量（ＪＩＳ  Ｐ  ８１４０に準じて、水の代わりにオレイン酸を使用）が１２ｇ／ｍ２／１５秒以上であることを特徴とする請求項１記載の美粧段ボール。
【請求項３】
表側ライナーに、表層に接着剤と顔料からなる塗工層を有するＪＩＳ  Ｐ  ８１４２に基づく７５度鏡面光沢が４０％以上のコート白ボールが使用されていて、該表側ライナー面に段ボール貼合前にプレプリントフレキソ印刷が施され、ラップアラウンド式又はＡ式で内容物を梱包し箱組み立てした後に、さらに該表側ライナー面に油性遅乾型インクジェットインクによるインクジェット印刷が施される請求項１又は請求項２に記載の美粧段ボールを製造する方法であって、前記表面ライナー面におけるインクジェット印刷予定箇所に、前記プレプリントフレキソ印刷時に白色顔料とバインダー樹脂からなるフレキソ白インキ塗工層を油性遅乾型インクジェットインク用の吸収層として形成することを特徴とする、美粧段ボールの製造方法。
【請求項４】
前記、フレキソ白インキを塗工して形成される油性遅乾型インクジェットインク吸収層が、オレイン酸吸収量（ＪＩＳ  Ｐ  ８１４０に準じて、水の代わりにオレイン酸を使用）が１２ｇ／ｍ２／１５秒以上の吸収層であることを特徴とする請求項３に記載の美粧段ボールの製造方法。
【発明の詳細な説明】
【技術分野】
【０００１】
本発明は、ビール缶、飲料缶、ペットボトル等の内容物をケーサー（製箱詰め機）で梱包・製箱して、日時、ロット番号等をインクジェット印刷した後に、輸送、店頭展示等に使用される美粧段ボール箱に関するものである。
【背景技術】
【０００２】
従来、ケーサーで梱包・製箱するラップアラウンド形式の段ボールには、一般のライナーが使用されている。
一般のライナー使用の段ボールの場合、梱包・製箱における特別な問題はないが、一般ライナーの白色度と光沢度が低いため、プレプリント印刷を行っても美粧性や印刷効果に劣る問題が有った。  
【０００３】
一方、美粧性を高めるため、ライナーの代わりに白コート紙やコート白ボールを使用したプレプリント印刷が増加している（非特許文献１）。
コート白ボールは、紙業タイムズ社発行の「白板紙・紙器９５年版」Ｐ．２７に記載されている構成を有しており、プレプリント印刷はコート層側に行われるので、プレプリントによる美粧性と印刷効果は高い。しかし、内容物を梱包・製箱した後に、製造日時を印刷するためのインクジェットインクに油性遅乾型インクを使用する場合は、上記コート層のインク吸収速度が遅いため、インク印刷部に汚染が発生する問題が有った。  
この問題は、インクジェットインクに揮発性の溶剤を配合した油性速乾型インクを使用することで解消できるが、速乾型インクはインクジェットのノズル詰りが、遅乾型より大幅に起き易いという問題が有る。  
【０００４】
コート白ボールに関しては特許文献１、特許文献２があり、インクジェット印刷が施される段ボールとしては特許文献３、特許文献４がある。しかし、これらの文献には、コート白ボールにプレプリントしたラップアラウンド形式の段ボールに、油性遅乾型インクジェットインクを使用したインクジェット印刷を施す場合におきる印刷部の汚染を解決するための手段は記載されていない。
【特許文献１】特開２００２−２６６２８３号公報
【特許文献２】特開２００５−１６３２１１号公報
【特許文献３】特開平８−０８０９３８号公報
【特許文献４】特開２００５−０４７０８３号公報
【非特許文献１】「フレキソ印刷総覧」加工技術研究会、２０００年１０月２４日、Ｐ．３０
【発明の開示】
【発明が解決しようとする課題】
【０００５】
本発明は、段ボールとしての美粧性を高めるために、表側ライナーとして白色度７０％以上、鏡面光沢４０％以上のコート白ボールを使用した段ボールにおいて、油性遅乾型インクジェットインクを使用したインクジェット印刷を施す時に起きるインクジェット印刷部の汚染を解決することを目的とするものである。
【課題を解決するための手段】
【０００６】
上記課題を解決するための本発明は、以下の（１）〜（４）から選択される美粧段ボールの発明と、その製造方法の発明である。
【０００７】
（１）表側ライナーにコート白ボールが使用され、該表側ライナー面に段ボール貼合前にプレプリントフレキソ印刷又はプレプリントグラビア印刷が施されており、ラップアラウンド式又はＡ式で内容物を梱包し箱組み立てした後に、さらにインクジェット印刷が施される段ボールにおいて、インクジェット印刷予定箇所に予め油性遅乾型インクジェットインク用の吸収層が設けられていることを特徴とする美粧段ボール。
【０００８】
（２）前記コート白ボールは、表層に接着剤と顔料からなる塗工層を有し、ＪＩＳ  Ｐ  ８１４８に基づく白色度が７０％以上、ＪＩＳ  Ｐ  ８１４２に基づく７５度鏡面光沢が４０％以上であることを特徴とする（１）項に記載の美粧段ボール。
【０００９】
（３）箱組み立てした後に、インクジェット印刷予定箇所のオレイン酸吸収量（ＪＩＳ  Ｐ  ８１４０に準じて、水の代わりにオレイン酸を使用）が１２ｇ／ｍ２／１５秒以上であることを特徴とする（１）項または（２）項に記載の美粧段ボール。
【００１０】
（４）インクジェット印刷予定箇所に設けられている油性遅乾型インクジェットインク用の吸収層は、前記プレプリント印刷時に形成されている層であり、その吸収層の白色度は、ＪＩＳ  Ｐ  ８１４８に基づく白色度が７０％以上であることを特徴とする（１）〜（３）項のいずれか１項に記載の美粧段ボール。
【発明の効果】
【００１１】
本発明により、コート白ボールと油性遅乾型インクジェットインクの同時使用ができる様になり、段ボールの美粧性は大幅に向上する。
【発明を実施するための最良の形態】
【００１２】
本発明が対象とする段ボールとは、ケース単位で販売する、ビール缶、飲料缶、ペットボトル等のラップアラウンド形式の段ボールである。
ケース単位で販売する段ボールは、店頭での美粧性が販売に大きく影響する。本発明の段ボールは、表側ライナーにコート白ボールを使用しているため、白色度は７０％以上（一般ライナーは２０％以下）、鏡面光沢は４０％以上（一般ライナーは９％以下）と格段に高く、更にプレプリント印刷時にＯＰニスを塗工することにより、鏡面光沢を６０％以上にすることも可能である。
【００１３】
しかしながら、コート白ボールは、白色度と鏡面光沢を高めるため、表層に接着剤と顔料からなるコート層１０〜３０ｇ／ｍ２が存在する。
このコート層がＪＩＳ  Ｐ  ８１４０に基づくコッブ法でのオレイン酸吸収量が１２ｇ／ｍ２／１５秒以下となり、油性遅乾型インクの吸収を遅くし、インクジェットインク箇所に汚染が起きる。
【００１４】
本発明の段ボールは、箱組み立て後にインクジェット印刷する箇所に、プレプリント印刷時に白インキ等による油性遅乾型インクジェットインク吸収層を設けている。
本発明の油性遅乾型インクジェットインク層を形成する白インキは、白色顔料、バインダー樹脂、水を主要成分とし、必要に応じて使用される水性媒体を含有する。
【００１５】
本発明の段ボールにおいて、油性遅乾型インクジェットインク吸収層を形成するための白インキに使用される白色顔料としては、二酸化チタン（アナターゼ、ルチル）のほか、水酸化アルミニウム、硫酸バリウム、炭酸カルシウム、無定形シリカ等の体質顔料が挙げられる。二酸化チタンとしては、一般的に印刷インキの顔料として用いられているものが使用できる。また、二酸化チタン等の白色顔料の含有量は白インキ１００質量部中３０〜８５質量部が好ましく、より好ましくは５０〜８０質量部である。
【００１６】
本発明の段ボールにおいて、油性遅乾型インクジェットインク吸収層を形成するための白インキに使用されるバインダー樹脂としては、水溶性又は水希釈性の樹脂が用いられる。水希釈性樹脂としては、天然樹脂、合成樹脂が使用でき、例えば、澱粉誘導体、カゼイン、シェラック、ポリビニルアルコール誘導体、アクリル系及びマレイン酸系樹脂が用いられる。より具体的には、アクリル酸あるいはメタクリル酸とそのアルキルエステル、あるいはスチレン等を主なモノマー成分として共重合した水溶性アクリル系樹脂、水溶性スチレン−アクリル樹脂、水溶性スチレン−マレイン酸樹脂、水溶性スチレン−アクリル酸−マレイン酸樹脂、水溶性ポリウレタン樹脂、水溶性ポリエステル樹脂が好適に用いられる。
【００１７】
バインダー樹脂の含有量は、造膜剤を合わせて白インキ１００質量部中１〜２５質量部が好ましく、より好ましくは１〜１５質量部である。バインダー樹脂の含有量が２５質量部を越えると、オレイン酸吸収量が低下して、油性遅乾型インクジェットインクによるインクジェット印刷部の汚染が防止できない。
【００１８】
本発明の白インキで使用できる水性媒体としては、水又は水と水混和性溶剤との混合物が挙げられる。水混和性溶剤としては、例えば、低級アルコール類、多価アルコール類、及びそれらのアルキルエーテルまたはアルキルエステル類が挙げられる。具体的には、メチルアルコール、エチルアルコール、ノルマルプロピルアルコール、イソプロピルアルコール等の低級アルコール類、エチレングリコール、プルピレングリコール、ジエチレングリコール、ジプロピレングリコール、グリセリン等の多価アルコール類、エチレングリコールモノメチルエーテル、エチレングリコールモノエチルエーテル、エチレングリコールモノアセテート、プロピレングリコールモノメチルエーテル、プロピレングリコールモノエチルエーテル、プロピレングリコールモノアセテート、ジエチレングリコールモノメチルエーテル、ジプロピレングリコールモノメチルエーテル等が挙げられる。
【００１９】
本発明で使用される白インキには、上記に示した成分以外に、必要に応じて造膜剤、顔料分散剤または顔料分散樹脂、ブロッキング防止剤、湿潤剤、粘度調整剤、ｐＨ調整剤、消泡剤、一般の界面活性剤等種々の添加剤を適宜選択して使用することができる。
【００２０】
これら各種材料を使用して、本発明で使用する白インキを製造する方法としては、白色顔料、バインダー樹脂、水、必要に応じて水混和性溶剤、および顔料分散剤または顔料分散樹脂を混合して混練し、さらに、添加剤、水、必要に応じて水混和性溶剤、および所定の材料の残りを添加、混合する方法が一般的である。
【００２１】
なお、本発明で使用する白インキは、上記の各成分を必要量混合し、ホモミキサー、ラボミキサー等の高速撹拌機や、３本ロールミルやビーズミル等の分散機にて混合、分散することにより容易に得ることが出来る。
【００２２】
本発明で使用する白インクは、コート白ボールにフレキソ印刷方式によってインクジェット吸収層を設けることができる。白インクで形成した吸収層の白色度は７０％以上であってコート白ボールとほぼ同等のため、段ボールの美粧性に悪影響を与えることはない。
【実施例】
【００２３】
以下、本発明を実施例に従って説明するが、本発明はこれらにより限定されるものではない。なお、特に断りのない限り、「部」は「質量部」を示す。
【００２４】
＜実施例１＞
コート白ボール〔王子コート白ボール１８０（ＭＦ１８０）〕に、表側ライナーとして使用するためにプレプリントフレキソ印刷を行った。
プレプリント印刷では、絵柄は４色印刷し、箱組立て後にインクジェット印刷する箇所に、フレキソ白インキ〔二酸化チタン＝８０部、イソプロピルアルコール+プロピレングリコールモノメチルエーテル＝１０部、アクリル（共）重合体＝１０部〕を塗工し、オレイン酸の吸収能を高めた。
次に、コルゲーターにて、上記原紙を表側ライナーに使用し、裏側ライナー〔王子ＡＢＭ１７０ライナー〕及び、中芯〔王子中芯１２５〕を使用し、Ｂフルートの段ボールシートを作成した。
次に、上記段ボールシートを製函機で打ち抜き、ラップアラウンド形式の段ボールを作成した。
次に、上記段ボールで内容物を梱包し、箱組立て後にケースに油性遅乾型インク（製品名＝ＨＤ黒、紀州技研工業、主成分：オレイン酸＝５０〜６０％、脂肪酸エステル＝３０〜４０％、アジン化合物＝１０〜２０％）でインクジェット印刷した。
次に、印刷終了して３０秒後にインクジェット印刷部をティッシュペーパーで擦り、印刷部の汚染状況を確認した。結果を表１に示す。
【００２５】
＜比較例１＞
プレプリント印刷において、箱組立て後にインクジェット印刷する箇所にフレキソ白インクを印刷しないこと以外は、実施例１と同様に実施した。
【００２６】
＜比較例２＞
フレキソ白インキに、二酸化チタン少、バインダー多のインキ〔二酸化チタン＝７０部、イソプロピルアルコール+プロピレングリコールモノメチルエーテル＝１０部、アクリル（共）重合体＝２０部〕を塗工し、オレイン酸の吸収能を余り高めていないフレキソ印刷部を形成したこと以外は、実施例１と同様に実施した。
【００２７】
＜比較例３＞
表側ライナーに実施例１で使用した裏側ライナー〔王子ＡＢＭ１７０ライナー〕を使用すること以外は、比較例１と同様に実施した。
【００２８】
＜結果＞
実施例および比較例の結果を表1に示す。なお、オレイン酸吸収量は、ＪＩＳ  Ｐ  ８１４０に準じて、水の代わりにオレイン酸を使用して測定した。１２ｇ／ｍ２／１５秒未満であるとインク汚染が著しい。
【００２９】
【表１】
0004772412.tif 000002
【００３０】
＊１）プレプリント印刷部の光沢度を測定し、７０％以上を◎、４０％〜７０％未満を○、１０％〜４０％未満を△、１０％未満を×とする。
＊２）プレプリント無印刷部の光沢度を測定し、４０％以上を◎、２０％〜４０％未満を○、１０％〜２０％未満を△、１０％未満を×とする。
＊３）油性遅乾型インクジェットインクを塗工し、３０秒後にティッシュペーパーで擦り、全くティッシュペーパーへのインク移行が確認できないものを◎、僅かに確認できるものを○、移行が確認でき、印刷面の汚染も確認できるものを×とする。
＊４）オレイン酸吸収量は、吸収時間が短いほど、インク汚染との相関が高くなるので、１５秒で測定した。
【産業上の利用可能性】
【００３１】
本発明の段ボールは、コート白ボールにプレプリントすることで、美粧性と印刷効果を高めことができ、さらに、内容物を梱包・製箱した後のインクジェット印刷の汚れを防止しているので美粧段ボールとして利用できる。